(57)【要約】【課題】見栄え良くタッチパネル機器を保護することが可能であり、かつ保護カバー等を開くことなく、タッチパネルを操作可能としたタッチパネル機器用ポーチの提供。【解決手段】タッチパネルＰにより操作可能なタッチパネル機器Ｍを収容する収容部２であり、タッチパネル機器Ｍを出し入れするための開口を上部に有する収容部２と、収容部２の裏面側の一部に設けられた透明なシート３であり、当該シート３越しにタッチパネル機器ＭのタッチパネルＰを操作可能なシート３と、収容部２の上部の開口の裏面側から開口を跨いで収容部の表面側へ重ね合わせ、収容部の表面側に係止可能なフラップ５とを有する。【選択図】図２
0003198703.tif 000002
【実用新案登録請求の範囲】
【請求項１】
タッチパネルにより操作可能なタッチパネル機器を収容する収容部であり、前記タッチパネル機器を出し入れするための開口を上部に有する収容部と、
前記収容部の裏面側の一部に設けられた透明なシートであり、当該シート越しに前記タッチパネル機器のタッチパネルを操作可能なシートと、
前記収容部の上部の前記開口の裏面側から前記開口を跨いで前記収容部の表面側へ重ね合わせ、前記収容部の表面側に係止可能なフラップと
を有するタッチパネル機器用ポーチ。
【請求項２】
前記収容部の左右両側部の上部に、ハンドストラップまたはショルダーストラップを脱着可能な環を有する請求項１記載のタッチパネル機器用ポーチ。
【考案の詳細な説明】
【技術分野】
【０００１】
本考案は、タッチパネルにより操作可能なスマートフォンや電子ブックリーダーなどのタッチパネル機器を収容可能なタッチパネル機器用ポーチに関する。
【背景技術】
【０００２】
タッチパネルにより操作可能なスマートフォンや電子ブックリーダーなどのタッチパネル機器は、タッチパネルがガラスにより形成されている。そのため、主に割れたり傷付いたりするのを防止することを目的として、バッグの中や保護ケースなどに入れて保護するようにしている。
【０００３】
例えば、特許文献１には、スマートフォンの側面および背面が嵌め込まれるケース本体と、ケース本体が取り付けられる保護カバーとを備えた携帯型情報端末用ケースが記載されている。このケースでは、ケース本体の前面からスマートフォンの前面に備えられたタッチパネルが露出するため、ケース本体にスマートフォンを装着したまま、タッチパネルを操作することが可能となっている。
【０００４】
また、特許文献２には、携帯電子機器を密閉収納可能な収納部であって、携帯電子機器を密閉収納した状態において、携帯電子機器の画面側が透明な合成樹脂製のシートとなっている収納部を備えた携帯電子機器用防水ケースが記載されている。合成樹脂製のシートは、タッチパネルの操作に支障のない範囲で食品保存袋よりも厚めの素材が用いられており、この合成樹脂製のシート越しにタッチパネルを操作することが可能となっている。
【先行技術文献】
【特許文献】
【０００５】
【特許文献１】特開２０１４−１５５１３５号公報
【特許文献２】特開２０１２−２０６７５４号公報
【考案の概要】
【考案が解決しようとする課題】
【０００６】
上記特許文献１に記載のケースでは、ケース本体にスマートフォンを装着したまま、タッチパネルを操作することが可能であるが、タッチパネルを操作するには保護カバーを開かなければならない。一方、特許文献２に記載のケースでは、シート越しにタッチパネルを操作することが可能であるが、外観上は単なる袋であり、見栄えが良くない。
【０００７】
そこで、本考案においては、見栄え良くタッチパネル機器を保護することが可能であり、かつ保護カバー等を開くことなく、タッチパネルを操作可能としたタッチパネル機器用ポーチを提供することを目的とする。
【課題を解決するための手段】
【０００８】
本考案のタッチパネル機器用ポーチは、タッチパネルにより操作可能なタッチパネル機器を収容する収容部であり、タッチパネル機器を出し入れするための開口を上部に有する収容部と、収容部の裏面側の一部に設けられた透明なシートであり、当該シート越しにタッチパネル機器のタッチパネルを操作可能なシートと、収容部の上部の開口の裏面側から開口を跨いで収容部の表面側へ重ね合わせ、収容部の表面側に係止可能なフラップとを有するものである。
【０００９】
本考案のタッチパネル機器用ポーチでは、収容部の表面側から見た場合には、収容部の上部の開口の裏面側から開口を跨いで収容部の表面側へ重ね合わせたフラップが、収容部の表面側に係止されている状態であり、外観上は通常のフラップ付きポーチであり、見栄えが良い。また、タッチパネル機器を操作する際には、収容部の裏面側からシート越しにタッチパネルを操作することが可能である。
【００１０】
また、本考案のタッチパネル機器用ポーチは、収容部の左右両側部の上部に、ハンドストラップまたはショルダーストラップを脱着可能な環を有することが望ましい。これにより、タッチパネル機器用ポーチをハンドバッグまたはショルダーバッグのように使用することが可能となる。
【考案の効果】
【００１１】
（１）タッチパネルにより操作可能なタッチパネル機器を収容する収容部であり、タッチパネル機器を出し入れするための開口を上部に有する収容部と、収容部の裏面側の一部に設けられた透明なシートであり、当該シート越しにタッチパネル機器のタッチパネルを操作可能なシートと、収容部の上部の開口の裏面側から開口を跨いで収容部の表面側へ重ね合わせ、収容部の表面側に係止可能なフラップとを有することにより、見栄え良くタッチパネル機器を保護することが可能となり、かつ保護カバー等を開くことなく、タッチパネルを操作することが可能となる。
【００１２】
（２）収容部の左右両側部の上部に、ハンドストラップまたはショルダーストラップを脱着可能な環を有する構成により、タッチパネル機器用ポーチをハンドバッグまたはショルダーバッグのように使用することが可能となる。
【図面の簡単な説明】
【００１３】
【図１】本考案の第１実施形態におけるタッチパネル機器用ポーチの表面図である。
【図２】図１のタッチパネル機器用ポーチの裏面図である。
【図３】図１のタッチパネル機器用ポーチのフラップを開いた状態を示す表面図である。
【図４】本考案の第２実施形態におけるタッチパネル機器用ポーチの表面図である。
【図５】図４のタッチパネル機器用ポーチの裏面図である。
【図６】図４のタッチパネル機器用ポーチのフラップを開いた状態を示す表面図である。
【考案を実施するための形態】
【００１４】
（実施の形態１）
図１は本考案の第１実施形態におけるタッチパネル機器用ポーチの表面図、図２は裏面図、図３はフラップを開いた状態を示す表面図である。
【００１５】
図１から図３に示すように、本考案の第１実施形態におけるタッチパネル機器用ポーチ１は、タッチパネル機器Ｍを収容する縦長の収容部２と、収容部２の裏面側の一部に設けられた透明なシート３とを有する。収容部２は、タッチパネル機器Ｍを出し入れするための開口４を上部に有する。シート３は、このシート３越しにタッチパネル機器ＭのタッチパネルＰを操作可能な、例えば合成樹脂製のシートである。
【００１６】
また、収容部２の上部には、開口４の裏面側に固定され、開口４を跨いで表面側へ重ね合わされ、収容部２の表面側に係止可能なフラップ５を有する。本実施形態においては、フラップ５は、その裏面側に設けられた金属製の留め金６Ａが、収容部２に設けられたマグネット６Ｂに吸着されることにより、収容部２の表面側に係止可能となっている。
【００１７】
また、収容部２の左右両側部の上部には、ハンドストラップやショルダーストラップ等Ｓを脱着可能な環７Ａ，７Ｂが設けられている。また、フラップ５の先端には、アクセサリー等Ａを脱着可能な環８が設けられている。
【００１８】
本実施形態におけるタッチパネル機器用ポーチ１に収容されるタッチパネル機器Ｍは、タッチパネルＰを備え、このタッチパネルＰにより操作可能なスマートフォンや電子ブックリーダーなどの携帯型情報機器である。タッチパネル機器Ｍは、タッチパネルＰの面を裏面側に、すなわちシート３側に向けて、開口４から収容部２内へ収容される。
【００１９】
上記構成のタッチパネル機器用ポーチ１では、収容部２の表面側から見た場合には、収容部２の上部の開口４の裏面側から開口４を跨いで収容部２の表面側へ重ね合わせたフラップ５が、収容部２の表面側に係止されている状態であり、外観上は通常のフラップ付きポーチであり、見栄えが良い。また、タッチパネル機器Ｍを操作する際には、収容部２の裏面側からシート３越しにタッチパネルＰを操作することが可能である。
【００２０】
また、このタッチパネル機器用ポーチ１では、環７Ａ，７Ｂに対して短めのハンドストラップを装着することで、ハンドバッグのように手に提げて使用することが可能である。あるいは、環７Ａ，７Ｂに対して長めのショルダーストラップを装着することで、ショルダーバッグのように肩に掛けて使用することが可能である。
【００２１】
（実施の形態２）
図４は本考案の第２実施形態におけるタッチパネル機器用ポーチの表面図、図５は裏面図、図６はフラップを開いた状態を示す表面図である。
【００２２】
図４から図６に示すように、本考案の第２実施形態におけるタッチパネル機器用ポーチ１１は、タッチパネル機器Ｍを収容する横長の収容部１２と、収容部１２の裏面側の一部に設けられた透明なシート１３とを有する。収容部１２は、タッチパネル機器Ｍを出し入れするための開口１４を上部に有する。シート１３は、前述のシート３と同様、シート１３越しにタッチパネル機器ＭのタッチパネルＰを操作可能なシートである。
【００２３】
また、収容部１２の上部には、開口１４の裏面側に固定され、開口１４を跨いで表面側へ重ね合わされ、収容部１２の表面側に係止可能なフラップ１５を有する。本実施形態においては、フラップ１５は、収容部１２に設けられた留め金１６Ａを回転させて図６に示すように横向きにした際に留め金１６Ａが通過可能な横長の孔１６Ｂを備えている。フラップ１５を収容部１２の表面側に係止する際には、この横長の孔１６Ｂを留め金１６Ａに通し、図４に示すように留め金１６Ａを回転させる。また、収容部１２の左右両側部の上部には、前述の環７Ａ，７Ｂと同様、ハンドストラップやショルダーストラップ等Ｓを脱着可能な環１７Ａ，１７Ｂが設けられている。
【００２４】
本実施形態におけるタッチパネル機器用ポーチ１１においても、タッチパネル機器Ｍは、タッチパネルＰの面を裏面側に、すなわちシート１３側に向けて、開口１４から収容部１２内へ収容される。この構成においても、収容部１２の表面側から見た場合には、収容部１２の上部の開口１４の裏面側から開口１４を跨いで収容部１２の表面側へ重ね合わせたフラップ１５が、収容部１２の表面側に係止されている状態であり、外観上は通常のフラップ付きポーチであり、見栄えが良い。また、タッチパネル機器Ｍを操作する際には、収容部１２の裏面側からシート１３越しにタッチパネルＰを操作することが可能である。
【００２５】
また、このタッチパネル機器用ポーチ１１でも、環１７Ａ，１７Ｂに対して短めのハンドストラップを装着することで、ハンドバッグのように手に提げて使用することが可能である。あるいは、環１７Ａ，１７Ｂに対して長めのショルダーストラップを装着することで、ショルダーバッグのように肩に掛けて使用することが可能である。
【産業上の利用可能性】
【００２６】
本考案のタッチパネル機器用ポーチは、タッチパネルにより操作可能なスマートフォンや電子ブックリーダーなどのタッチパネル機器を収容可能なポーチとして有用である。
【符号の説明】
【００２７】
１，１１  タッチパネル機器用ポーチ
２，１２  収容部
３，１３  シート
４，１４  開口
５，１５  フラップ
６Ａ，１６Ａ  留め金
６Ｂ  マグネット
１６Ｂ  孔
７Ａ，７Ｂ，８，１７Ａ，１７Ｂ  環
【図１】
0003198703.tif 000003
【図２】
0003198703.tif 000004
【図３】
0003198703.tif 000005
【図４】
0003198703.tif 000006
【図５】
0003198703.tif 000007
【図６】
0003198703.tif 000008